【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】  電子又は光を媒体とする情報記憶媒体又は情報通信網から所定の情報について興味のある人を探すことを支援する装置であって、
前記所定の情報を入力する手段と、
複数の使用者が提示された情報に対し自分の興味（教師信号）を入力し、前記教師信号を用いて使用者の個人の興味を反映して作成された個人プロファイルを用いて、前記所定の情報（プローブ信号）に対して使用者ごとに必要性信号を計算する情報フィルタユニットと、
前記所定の情報（プローブ信号）に対する前記情報フィルタ装置からの必要性信号を用いて、問い合わせするのに適する度合いを定量的に評価し、興味のある人のリストを出力するプローブ信号モニタユニットと、
を具備することを特徴とする情報配信装置。
【請求項２】  更に、前記所定の情報に興味のある人のリストを用いて、送信先を決める送付先限定記事送信部を具備することを特徴とする請求項１記載の情報配信装置。
【請求項３】  送信先は、リストの筆頭から予め指定された順位までであることを特徴とする請求項２記載の情報配信装置。
【請求項４】  前記情報フィルタユニットは、使用者ごとにプローブ信号受け付けるか否かを設定できることを特徴とする請求項１記載の情報配信装置。
【手続補正２】
【補正対象書類名】明細書
【補正対象項目名】００１０
【補正方法】変更
【補正の内容】
【００１０】
【課題を解決するための手段】
上記目的を達成するために、本発明の情報配信装置は、電子又は光を媒体とする情報記憶媒体又は情報通信網から所定の情報について興味のある人を探すことを支援する装置であって、複数の使用者が提示された情報に対し自分の興味の有無（教師信号）を入力し、前記教師信号を用いて使用者の個人の興味を反映して作成された個人プロファイルを用いて、使用者ごとに必要性信号を計算する情報フィルタユニットと、前記所定の情報を入力する手段と、前記所定の情報に対して、前記情報フィルタ装置からの必要性信号を用いて、問い合わせするのに適する度合いを定量的に評価し、興味のある人のリストを出力するプローブ信号モニタユニットと、を具備することを特徴とする情報配信装置であって、配信内容を反映したプローブ信号と前記個人プロファイルから計算されるプローブ応答信号が大きな値を取る前記個人プロファイルの所有者へ情報を配信することを特徴とする構成を有している。
【手続補正３】
【補正対象書類名】明細書
【補正対象項目名】００１１
【補正方法】変更
【補正の内容】
【００１１】
このような構成によって、ある内容をもった情報があるとき、前記個人プロファイル所有者がその情報をどのくらい必要としているかを必要度で定量化することができ、必要性の高い人へ情報を送ることができるようになる。
【手続補正４】
【補正対象書類名】明細書
【補正対象項目名】００１２
【補正方法】変更
【補正の内容】
【００１２】
【発明の実施の形態】
請求項１に記載の発明は、電子又は光を媒体とする情報記憶媒体又は情報通信網から所定の情報について興味のある人を探すことを支援する装置であって、複数の使用者が提示された情報に対し自分の興味の有無（教師信号）を入力し、前記教師信号を用いて使用者の個人の興味を反映して作成された個人プロファイルを用いて、使用者ごとに必要性信号を計算する情報フィルタユニットと、前記所定の情報を入力する手段と、前記所定の情報に対して、前記情報フィルタ装置からの必要性信号を用いて、問い合わせするのに適する度合いを定量的に評価し、興味のある人のリストを出力するプローブ信号モニタユニットと、を具備することを特徴とする情報配信装置であり、情報について興味のある人のリストを得ることができるようになるという作用を持つ。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】変更
【補正の内容】
【００４６】
請求項２記載の発明は、請求項１記載の情報配信装置において、更に、前記所定の情報に興味のある人のリストを用いて、送信先を決める送付先限定記事送信部を具備することを特徴とするもので、情報についての詳しさを表したリストにより情報の送信先を制御できるという作用を持つ。
【手続補正３９】
【補正対象書類名】明細書
【補正対象項目名】００４７
【補正方法】変更
【補正の内容】
【００４７】
請求項３記載の発明は、請求項２記載の情報配信装置において、送信先は、リストの筆頭から予め指定された順位までであることを特徴とするもので、情報についての興味の強さ表したリストにより情報の送信先を制御できるという作用を持つ。
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００８２
【補正方法】変更
【補正の内容】
【００８２】
そして、図５に示したように、グループインタフェースユニット５５は、「情報」をグループ必要性信号IFG1−Nの大きい順に並べて表示する。図５に示した場合、ユーザー甲が興味あるとした論文以上にグループとして興味を持つ必要がある論文が３つあることが示されている。
【手続補正４３】
【補正対象書類名】明細書
【補正対象項目名】０１１９
【補正方法】変更
【補正の内容】
【０１１９】
次に、上記のように構成された学習ユニット５２の動作について図１０と図１１に示したフローチャートと本発明の動作を説明するための概念図とを参照しながら説明する。図１０に学習制御部１４の動作についてフローチャートを用いて、詳しく説明する。図１０において、まず、グループインタフェースユニット５５からネットワーク６１を介して学習制御部１４に学習開始信号ＬＳが入力されると、学習制御部１４は指示信号ＬＩの待機状態を示す値０から処理中を示す値１に変え（図１０ステップＳ４１）、グループインタフェースユニット５５に返す。次に、図１１のステップＳ５３に対応するメトリック学習部１９を動作し（同図ステップＳ４２）、学習処理が終わると学習制御部１４の指示信号ＬＩの値を再び待機中を示す値０にして、グループインタフェースユニット４４に送り（同図ステップＳ４３）、処理を終了する。
【手続補正４４】
【補正対象書類名】明細書
【補正対象項目名】０１２５
【補正方法】変更
【補正の内容】
【０１２５】
以下、メトリック学習部１９は、同様の動作を、教師データＴＤ［ｃ］の教師信号Ｔ［ｃ］がＴ［ｃ］＝−１になるとなるまで繰り返す。Ｔ［ｃ］＝−１となると、メトリック学習の処理を終了し、メトリック学習制御信号ＭＬＣを学習制御部１４に送る。学習制御部１４は、前記メトリック学習信号ＭＬＣを受け、学習制御部指示信号の待機中を示す値にし、処理を終了する。こうして、使用者の興味を反映した肯定メトリック信号MYと否定メトリック信号MNを得ることができる。
【手続補正４５】
【補正対象書類名】明細書
【補正対象項目名】０１４０
【補正方法】変更
【補正の内容】
【０１４０】
図１２に本実施の形態２の情報フィルタ装置のブロック結線図を示すが、以下の説明では、実施の形態１の情報フィルタ装置のブロック結線図と異なる構成についてのみ詳細に説明する。図１２において、２３は学習制御部１４からの辞書学習信号ＤＬＣを受け、辞書記憶部２の符号辞書信号ＤＣＫを更新する辞書学習部、２４は文字列Ｗと数字Ｃがキーワード群信号Ｋｓに含まれていたときに使用者が記事信号Ｄを必要と解答した回数を示す肯定回数ＰＹと、文字列Ｗがキーワード群信号Ｋｓに含まれていたときに使用者が記事信号Ｄを不要と解答した回数を示す否定回数ＰＮとからなる表をnofFDCK個有する（数６）に示すような適応符号辞書信号
【手続補正４６】
【補正対象書類名】明細書
【補正対象項目名】０１７０
【補正方法】変更
【補正の内容】
【０１７０】
なお、１次肯定メトリック信号ＭＹ１と１次否定メトリック信号ＭＮ１の学習を忘却の効果を入れた
ＭＹ１［ｉ］［ｊ］＝α・ＭＹ１［ｉ］［ｊ］＋ＬＶ［ｉ］・ＬＶ［ｊ］
ＭＮ１［ｉ］［ｊ］＝α・ＭＮ１［ｉ］［ｊ］＋ＬＶ［ｉ］・ＬＶ［ｊ］
を用いてもよい結果が得られる。（ここで、αは１より小さい正の数）もしくは、ＭＹ１［ｉ］［ｊ］またはＭＮ１［ｉ］［ｊ］のいずれかが一定値をこえた場合に、
ＭＹ１［ｉ］［ｊ］＝ＭＹ１［ｉ］［ｊ］／２
ＭＮ１［ｉ］［ｊ］＝ＭＮ１［ｉ］［ｊ］／２
として、信号のオーバーフローを防ぐように構成することは実施上好ましい。これは、適応符号辞書信号ＦＤＣＫ［ｊ］の肯定回数ＰＹ［ｊ］と否定回数ＰＮ［ｊ］、および全肯定回数信号ＮＹと全否定回数ＮＮについても同様である。
【手続補正４７】
【補正対象書類名】明細書
【補正対象項目名】０１８６
【補正方法】変更
【補正の内容】
【０１８６】
次に、前記ユーザーリスト信号ULSを受けた送付先限定記事送信部７１は、人
数信号入力端子１１１から、記事の送り先の人数を指定する人数信号NSが入力されるまで待機する。人数信号入力端子１１１から、記事の送り先の人数を指定する人数信号NSが入力されると、前記送付先限定記事送信部７１は、ユーザーリスト信号ULSの筆頭から、人数信号NSによって指定される人数だけを選び出し、そのユーザーに向けて、前記記事信号Dを送信する。
【手続補正４８】
【補正対象書類名】明細書
【補正対象項目名】０１８７
【補正方法】変更
【補正の内容】
【０１８７】
以上のようにして、本発明の実施の形態４により、情報に興味を持つ人だけに送り届けることが可能になる。
この技術は、電子商取引の商品案内など、バナー広告の割り振りなどに応用することができる。